(57)【要約】    【課題】  本発明は、畳、フローリング又はカーペット等の床で使用可能であって、耐久性、体圧分散性に特に優れたウレタンフォームを内装した敷き布団、マットレス、枕などの寝具及びその製造方法、及び、高さ調節が可能な敷き布団、マットレス、枕などの寝具や敷き布団カバー、枕カバーなどの寝具カバーを提供することにある。    【解決手段】  本発明に係る寝具は、表面に面積が大中小の差のある突起Ａ２、Ｂ２、Ｃ２を配したウレタンフォームＡ、Ｂ、Ｃを内装した寝具であって、該ウレタンフォームの表面の突起が、身体背面の凹凸形状の突出量の変化と前記突起の面積の変化とが逆になるように配置し、かつ、身体の横臥状態における背面が寝具に及ぼす荷重分布の変化と前記突起の面積の変化とが符合するように配置したことを特徴とするものである。【選択図】        図５
2005137596.tif 000002
【特許請求の範囲】
【請求項１】
表面に面積が大中小の差のある突起を配した弾性体を内装した寝具であって、該弾性体の表面の突起が、身体背面の凹凸形状の突出量の変化と前記突起の面積の変化とが逆になるように配置し、かつ、身体の横臥状態における背面が寝具に及ぼす荷重分布の変化と前記突起の面積の変化とが符合するように配置したことを特徴とする寝具。
【請求項２】
身体背面の凹凸形状及び／又は身体の横臥状態における背面が寝具に及ぼす荷重分布に応じて表面に面積が大中小の差のある突起を配した弾性体を内装して寝具を製造することを特徴とする寝具の製造方法。
【請求項３】
測定器により身体背面の凹凸形状及び／又は身体の横臥状態における背面が寝具に及ぼす荷重分布を測定し、その測定結果に基づいて弾性体を製造し、製造された弾性体を内装して寝具を製造することを特徴とする寝具の製造方法。
【請求項４】
測定器により身体背面の凹凸形状及び／又は身体の横臥状態における背面が寝具に及ぼす荷重分布を測定し、その測定結果に基づいて弾性体を製造し、製造された弾性体を内装して寝具を製造し、製造された寝具を顧客に提供することを特徴とする寝具の販売方法。
【請求項５】
寝具又は寝具カバーの裏側において、その寝具又は寝具カバーの幅方向にわたる袋部を複数形成し、該袋部に寝具の嵩を部分的に嵩上げするための嵩上げ板を収納できるようにしたことを特徴とする寝具又は寝具カバー。
【請求項６】
表面に面積が大中小の差のある突起を配した弾性体を内装した寝具であって、該弾性体の表面の突起が、身体背面の凹凸形状の突出量の変化と前記突起の面積の変化とが逆になるように配置し、かつ、身体の横臥状態における背面が寝具に及ぼす荷重分布の変化と前記突起の面積の変化とが符合するように配置し、寝具の裏側において、その寝具の幅方向にわたる袋部を複数形成し、該袋部に寝具の嵩を部分的に嵩上げするための嵩上げ板を収納できるようにしたことを特徴とする寝具。
【発明の詳細な説明】
【技術分野】
【０００１】
本発明は、体圧分散を考慮した敷き布団、マットレス、枕などの寝具及びその製造方法、高さ調節が可能な敷き布団、マットレス、枕などの寝具や敷き布団カバー、枕カバーなどの寝具カバーに関する。
【背景技術】
【０００２】
昨今の健康志向の高まりに相応して寝具で重要な地位を占める敷き布団などの敷き用寝具への関心が非常に高まっている。その中において、ベッドメーカー各社が人体の形状に即したベッドマットを提案し始めたのは周知のことである。このようなベッドマットは、線径の異なるスプリングを組み合わせることで人体の形状に即したクッション性をもたせることにより最適の寝心地を得ようとしたものである。
【０００３】
一方、寝具に関して、各社さまざまな枕を販売しているが、枕で一番重要なポイントは寝姿勢の最適化及び安定化、すなわち自然な寝姿勢の確保にあることは明らかである。そして、自然な寝姿勢とは人間が立った姿勢をそのまま寝姿勢にすることと考えられている。そのような寝姿勢の場合は、腰骨や肩甲骨のように身体背面で突出している骨格部分によって身体の大部分が支えられていることになる。また、一般に男性は背中が突出しており、女性は腰部分が突出しているので、男女の体型の違いによって寝姿勢が相違することになる。
【発明の開示】
【発明が解決しようとする課題】
【０００４】
しかしながら、生活者全員がベッド使用者とは限らず、畳、フローリング又はカーペット等の床に直接布団を敷くなどして寝る場合には、上記のベッドマットでは対応できなかった。
【０００５】
また、現状の敷き布団やベッドマットでは、充填材を増やすなどにより中央部を硬くする程度にとどまり、男女の体格の相違や個人差による体格の相違などに対して細かい対応ができていないのが実情である。
【０００６】
そこで、本発明は、畳、フローリング又はカーペット等の床で使用可能であって、耐久性、体圧分散性に特に優れた弾性体を内装した敷き布団、マットレス、枕などの寝具及びその製造方法、及び、高さ調節が可能な敷き布団、マットレス、枕などの寝具や敷き布団カバー、枕カバーなどの寝具カバーを提供することを目的とする。
【課題を解決するための手段】
【０００７】
本発明に係る寝具は、表面に面積が大中小の差のある突起を配した弾性体を内装した寝具であって、該弾性体の表面の突起が、身体背面の凹凸形状の突出量の変化と前記突起の面積の変化とが逆になるように配置し、かつ、身体の横臥状態における背面が寝具に及ぼす荷重分布の変化と前記突起の面積の変化とが符合するように配置したことを特徴とするものである。なお、ここでいう「身体背面の凹凸形状の突出量の変化と前記突起の面積の変化とが逆になるように配置する」というのは、身体背面の凹凸形状の突出量が大である場合には突起の面積が小のものを配置し、身体背面の凹凸形状の突出量が小である場合には突起の面積が大のものを配置することを意味する。また、「身体の横臥状態における背面が寝具に及ぼす荷重分布の変化と前記突起の面積の変化とが符合するように配置する」というのは、身体の横臥状態における背面が寝具に及ぼす荷重分布が大の場合には突起の面積が大のものを配置し、身体の横臥状態における背面が寝具に及ぼす荷重分布が小の場合には突起の面積も小のものを配置することを意味する。
【０００８】
上記のように構成したことにより、身体背面の凹凸形状の突出量が比較的大きい箇所は、弾性体の表面には面積が比較的小さい突起が配されるためその突出量に応じて深く沈み込む。身体背面の凹凸形状の突出量が比較的小さい箇所は、弾性体の表面には面積が比較的大きい突起が配されるためその突出量に応じて浅く沈み込む。また、身体の横臥状態における背面が寝具に及ぼす荷重の大きい箇所は、弾性体の表面には面積が比較的大きい突起が配されるため沈み込みが浅い。身体の横臥状態における背面が寝具に及ぼす荷重の小さい箇所は、弾性体の表面には面積が比較的小さい突起が配されるので浅く沈み込む。
【０００９】
また、本発明に係る寝具の製造方法は、身体背面の凹凸形状及び／又は身体の横臥状態における背面が寝具に及ぼす荷重分布に応じて表面に面積が大中小の差のある突起を配した弾性体を内装して寝具を製造することを特徴とするものである。
【００１０】
さらにまた、測定器により身体背面の凹凸形状及び／又は身体の横臥状態における背面が寝具に及ぼす荷重分布を測定し、その測定結果に基づいて弾性体を製造し、製造された弾性体を内装して寝具を製造するようにしてもよい。
【００１１】
また、測定器により身体背面の凹凸形状及び／又は身体の横臥状態における背面が寝具に及ぼす荷重分布を測定し、その測定結果に基づいて弾性体を製造し、製造された弾性体を内装して寝具を製造し、製造された寝具を顧客に提供する寝具の販売方法を採用してもよい。
【００１２】
さらに本発明に係る寝具又は寝具カバーは、寝具の裏側において、その寝具又は寝具カバーの横方向にわたる袋部を複数形成し、該袋部に寝具の嵩を部分的に嵩上げするための嵩上げ板を収納できるようにしたことを特徴とするものである。
【００１３】
このように構成すると、寝具の高さを部分的に調節することが可能となる。
【００１４】
さらにまた、表面に面積が大中小の突起を配した弾性体を内装した寝具であって、該弾性体の表面の突起が、身体背面の凹凸形状の突出量の変化と前記突起の面積の変化とが逆になるように配置し、かつ、身体の横臥状態における荷重分布の変化と前記突起の面積の変化とが符合するように配置し、寝具の下部において、その寝具の横方向に複数の袋部を形成し、寝具の嵩を部分的に嵩上げするための嵩上げ板を収納できるようにしたことを特徴とするものである。
【００１５】
このように構成すると、身体背面の凹凸形状の突出量が比較的大きい箇所は、弾性体の表面には面積が比較的小さい突起が配されるためその突出量に応じて深く沈み込む。身体背面の凹凸形状の突出量が比較的小さい箇所は、弾性体の表面には面積が比較的大きい突起が配されるためその突出量に応じて浅く沈み込む。また、身体の横臥状態における背面が寝具に及ぼす荷重の大きい箇所は、弾性体の表面には面積が比較的大きい突起が配されるため沈み込みが浅い。身体の横臥状態における背面が寝具に及ぼす荷重の小さい箇所は、弾性体の表面には面積が比較的小さい突起が配されるので浅く沈み込む。しかも、寝具の高さを部分的に調節することが可能となる。
【発明の効果】
【００１６】
本発明に係る寝具は、表面に面積が大中小の差のある突起を配した弾性体を内装した寝具であって、該弾性体の表面の突起が、身体背面の凹凸形状の突出量の変化と前記突起の面積の変化とが逆になるように配置し、かつ、身体の横臥状態における背面が寝具に及ぼす荷重分布の変化と前記突起の面積の変化とが符合するように配置したことにより、身体背面の凹凸形状の突出量が比較的大きい箇所は、弾性体の表面には面積が比較的小さい突起が配されるためその突出量に応じて深く沈み込むことができるので体圧が分散される効果があり、安定感がある。身体背面の凹凸形状の突出量が比較的小さい箇所は、弾性体の表面には面積が比較的大きい突起が配されるためその突出量に応じて浅く沈み込み、滑らかさがあるので動きやすく寝心地がよい。また、身体の横臥状態における背面が寝具に及ぼす荷重の大きい箇所は、弾性体の表面には面積が比較的大きい突起が配されるため荷重が大であるにもかかわらず沈み込みが浅いので身体を確実に支持して安定感があり、また、弾性体のへたりに対する耐久性が向上する。身体の横臥状態における背面が寝具に及ぼす荷重の小さい箇所は、弾性体の表面には面積が比較的小さい突起が配されるが荷重が小さいので浅く沈み込み、身体に対してソフト感がある。
【００１７】
また、本発明に係る寝具の製造方法は、身体背面の凹凸形状及び／又は身体の横臥状態における背面が寝具に及ぼす荷重分布に応じて表面に面積が大中小の差のある突起を配した弾性体を内装して寝具を製造すると、男女差による体格の相違や個人差による体格の相違に応じた耐久性及び耐圧分散性に優れた寝具が製造できる。
【００１８】
さらにまた、測定器により身体背面の凹凸形状及び／又は身体の横臥状態における背面が寝具に及ぼす荷重分布を測定し、その測定結果に基づいて弾性体を製造し、製造された弾性体を内装して寝具を製造するようにしてもよい。
【００１９】
また、測定器により身体背面の凹凸形状及び／又は身体の横臥状態における背面が寝具に及ぼす荷重分布を測定し、その測定結果に基づいて弾性体を製造し、製造された弾性体を内装して寝具を製造し、製造された寝具を顧客に提供する寝具の販売方法を採用すると、男女差による体格の相違や個人差による体格の相違に応じた耐久性及び耐圧分散性に優れた寝具が提供できる。
【００２０】
さらに本発明に係る寝具又は寝具カバーは、寝具の裏側において、その寝具又は寝具カバーの横方向にわたる袋部を複数形成し、該袋部に寝具の嵩を部分的に嵩上げするための嵩上げ板を収納できるように構成すると、寝具の高さを調節することが可能となる。すなわち、嵩上げ板を袋部に必要に応じて収納すれば、寝具の嵩を部分的に嵩高くすることができる。したがって、身体の足が載置される寝具の部分を嵩高くしたり、また、身体の背中部が載置される寝具の中央部がへたりにより嵩が低くなった場合には、そのへたった部分の袋部に嵩上げ板を収納すれば、へたった部分を嵩上げすることも可能となる。
【００２１】
さらにまた、表面に面積が大中小の突起を配した弾性体を内装した寝具であって、該弾性体の表面の突起が、身体背面の凹凸形状の突出量の変化と前記突起の面積の変化とが逆になるように配置し、かつ、身体の横臥状態における荷重分布の変化と前記突起の面積の変化とが符合するように配置し、寝具の下部において、その寝具の横方向に複数の袋部を形成し、寝具の嵩を部分的に嵩上げするための嵩上げ板を収納できるように構成すると、身体背面の凹凸形状の突出量が比較的大きい箇所は、弾性体の表面には面積が比較的小さい突起が配されるためその突出量に応じて深く沈み込むことができるので体圧が分散される効果があり、安定感がある。身体背面の凹凸形状の突出量が比較的小さい箇所は、弾性体の表面には面積が比較的大きい突起が配されるためその突出量に応じて浅く沈み込み、滑らかさがあるので動きやすく寝心地がよい。また、身体の横臥状態における背面が寝具に及ぼす荷重の大きい箇所は、弾性体の表面には面積が比較的大きい突起が配されるため荷重が大であるにもかかわらず沈み込みが浅いので身体を確実に支持して安定感があり、また、弾性体のへたりに対する耐久性が向上する。身体の横臥状態における背面が寝具に及ぼす荷重の小さい箇所は、弾性体の表面には面積が比較的小さい突起が配されるが荷重が小さいので浅く沈み込み、身体に対してソフト感がある。しかも、寝具の高さを調節することが可能となる。すなわち、嵩上げ板を袋部に必要に応じて収納すれば、寝具の嵩を部分的に嵩高くすることができる。したがって、身体の足が載置される寝具の部分を嵩高くしたり、また、身体の背中部が載置される寝具の中央部がへたりにより嵩が低くなった場合には、そのへたった部分の袋部に嵩上げ板を収納すれば、へたった部分を嵩上げすることも可能となる。
【発明を実施するための最良の形態】
【００２２】
測定器により身体背面の凹凸形状及び／又は身体の横臥状態における背面が寝具に及ぼす荷重分布を測定し、その測定結果に基づいて弾性体を製造し、製造された弾性体を内装して寝具を製造する場合に使用する測定器としては、身長及び体重を測定する身長及び体重計と共に身体背面の凹凸形状に合わせて進退するセンサー付の検知棒を身体の背面上を上下させることにより、身体背面の凹凸形状を電気的に計測する測定装置を使用し、その測定結果に基づいて弾性体を製造して寝具を製造してもよい。また、表面に面積が大中小の差のある突起をそれぞれ各別に形成した所定幅の測定用弾性体３種を用意し、この３種の測定用弾性体を組み合わせて実地測定して、その測定結果に基づいて弾性体を製造して寝具を製造してもよい。
【００２３】
以下に、本発明に係る好適な実施例を図面に基づいて詳細に説明する。
【実施例１】
【００２４】
図１は表面に面積が大の突起２個を形成した所定幅の測定用ウレタンフォームの部分斜視図であり、図２は表面に面積が中の突起３個を形成した所定幅の測定用ウレタンフォームの部分斜視図であり、図３は表面に面積が小の突起４個を形成した所定幅の測定用ウレタンフォームの部分斜視図であり、図４は身体背面の突出量と荷重分布とウレタンフォーム上に形成した突起の面積の大きさとの相関を表す表であり、図５は測定結果に基づいて形成されたウレタンフォームの斜視図であり、図６は図５に示すウレタンフォームの沈み込み状態を示す模式図である。
【００２５】
図１において、Ａは表面に面積が大の突起を配した所定幅の測定用ウレタンフォームであって、詳しくは幅１４０ｍｍ長さ１０００ｍｍのベース部Ａ１上に中央がくびれ、上部が膨らみ、上面がほぼ正方形で面積が約６０ｍｍ×６０ｍｍのキノコ状の突起Ａ２を２列形成したものである。Ｂは表面に面積が中の突起を配した所定幅の測定用ウレタンフォームであって、詳しくは幅１４０ｍｍ長さ１０００ｍｍのベース部Ｂ１上に中央がくびれ、上部が膨らみ、上面が長方形で面積が約４０ｍｍ×６０ｍｍのキノコ状の突起Ｂ２を３列形成したものである。Ｃは表面に面積が小の突起を配した所定幅の測定用ウレタンフォームであって、幅１４０ｍｍのベース部Ｃ１上に中央がくびれ、上部が膨らみ、上面が長方形で面積が約３０ｍｍ×６０ｍｍのキノコ状の突起Ｃ２を３列形成したものである。なお、各測定用ウレタンフォームの幅を１４０ｍｍにしたのは寝具となるウレタンフォームの長さが２１００ｍｍあり、これを１５等分して１４０ｍｍにしたことによる。また、各測定用ウレタンフォームの長さを１０００ｍｍにしたのは寝具となるウレタンフォームの幅が１０００ｍｍであることによる。なお、表面に面積が大中小の差のある突起の形状については、本実施例においてはキノコ状のものを採用したが、これに限られるものではなく、直方体や立方体のような平型形状のもの、山形形状のもの、台形形状のもの等どのような形状でもよく、要するにベース部から突出している形状であればよい。
【００２６】
上記３種の測定用ウレタンフォームＡ、Ｂ、Ｃを使用し、身体背面の凹凸形状及び身体の横臥状態における背面が寝具に及ぼす荷重分布に応じて組み合わせる。その組合せ方としては、ウレタンフォームの表面の突起が、身体背面の凹凸形状の突出量の変化と前記突起の面積の変化とが逆になるように配置し、かつ、身体の横臥状態における背面が寝具に及ぼす荷重分布の変化と前記突起の面積の変化とが符合するように配置する。この相関の具体例を表１に表す。
【００２７】
上記のように配置すると、身体背面の凹凸形状の突出量が比較的大きい箇所は、ウレタンフォームの表面には面積が比較的小さい突起が配されるためその突出量に応じて深く沈み込むことができるので体圧が分散される効果があり、安定感がある。身体背面の凹凸形状の突出量が比較的小さい箇所は、ウレタンフォームの表面には面積が比較的大きい突起が配されるためその突出量に応じて浅く沈み込み、滑らかさがあるので動きやすく寝心地がよい。また、身体の横臥状態における背面が寝具に及ぼす荷重の大きい箇所は、ウレタンフォームの表面には面積が比較的大きい突起が配されるため荷重が大であるにもかかわらず沈み込みが浅いので身体を確実に支持して安定感があり、また、ウレタンフォームのへたりに対する耐久性が向上する。身体の横臥状態における背面が寝具に及ぼす荷重の小さい箇所は、ウレタンフォームの表面には面積が比較的小さい突起が配されるが荷重が小さいので浅く沈み込み、身体に対してソフト感がある。
【００２８】
上記の理論に基づき、上記３種の測定用ウレタンフォームＡ、Ｂ、Ｃを身体の形状及び身体の横臥状態における背面が寝具に及ぼす荷重分布に応じて実際に組み合わせて配置した具体例を図５に示す。図５に示される測定用ウレタンフォームＡ、Ｂ、Ｃを配置した状態における実際の沈み込み量を図６の模式図で表した。なお、このように測定用ウレタンフォームＡ、Ｂ、Ｃを組み合わせて構成したものを試着して、不具合がなければ、測定用ウレタンフォームＡ、Ｂ、Ｃの配置に従って、一体的に、または３分割したウレタンフォームの完成品を製造することとなる。
【００２９】
図６において便宜的に測定用ウレタンフォームの配置位置を身体の頭部先端側から１〜１５の番地を付する。左右両端の１番地と１５番地には突起が大の測定用ウレタンフォームＡを配置し、ウレタンフォーム全体を持ち上げたり、引っ張ったりしても耐え得るように構成した。身体の頭及び首部分が相当する２番地〜４番地には枕が併用され、身体の突出について考慮する必要がなく、頭部先端から首部にかけて荷重が増加するので、上から順に突起が小のウレタンフォームＣ、突起が中のウレタンフォームＢ、突起が大のウレタンフォームＡを配置した。５番地及び６番地には身体の背中部に相当し、突出が大きく、かつ、大きい荷重が掛かる部分であるから、突起が中のウレタンフォームＢを配置した。７番地は身体の腰部が相当し、突出が少なく、大きい荷重が掛かる部分であるから、突起が大のウレタンフォームＡを配置した。８番地及び９番地は、身体の臀部が相当し、突出が大きく、かつ、大きい荷重が掛かる部分であるから、突起が中のウレタンフォームＢを配置した。１０番地及び１１番地は身体の太腿部が相当し、突出が少なく、大きい荷重が掛かる部分であるから、突起が大のウレタンフォームＡを配置した。１２番地は身体の脹ら脛部が相当し、突出が少なく、小さい荷重が掛かる部分であるから、突起が中のウレタンフォームＢを配置した。１３番地は身体の脛部が相当し、突出が少なく、荷重がほとんど掛からない部分であるから、突起が小のウレタンフォームＣを配置した。１４番は身体の踵部に相当し、やや突出し、小さい荷重が掛かる部分であるから、突起が小のウレタンフォームＣを配置した。
【００３０】
なお、上記のような測定用ウレタンフォームＡ、Ｂ、Ｃの組合せ配置は、顧客である被験者の身長及び体重を測定し、身体の形状から予測して測定用ウレタンフォームＡ、Ｂ、Ｃを試験的に組合せた後、この組み合わせた測定用ウレタンフォームＡ、Ｂ、Ｃを被験者が試着して実地測定し、調整して、最終測定結果を出す。また、被験者の身長及び体重を測定する身長及び体重計と共に身体背面の凹凸形状に合わせて進退するセンサー付の検知棒を身体の背面上を上下させることにより、身体背面の凹凸形状を電気的に計測する測定装置を使用し、その測定結果に基づいて、測定用ウレタンフォームＡ、Ｂ、Ｃを試験的に組合せた後、この組み合わせた測定用ウレタンフォームＡ、Ｂ、Ｃを被験者が試着して実地測定し、調整して、最終測定結果を出すようにしてもよい。
【００３１】
上記のようにして得られた測定結果に基づいてウレタンフォームを製造して寝具を製造する。そうすると、製造された寝具は、男女差による体格の相違や個人差による体格の相違に応じた耐久性及び耐圧分散性に優れたものとなる。なお、このような測定結果を整理し顧客データとして保存しておくと、顧客が新たに寝具を購入使用とする際に販売側としては、従前の寝環境の状況を推定することでき、適切な助言及び的確に寝具の販売に役立つので便利である。
【００３２】
なお、本実施例においては、弾性体や測定用弾性体としてウレタンフォームを使用している例を述べたが、ＰＥ、ＰＰ、ＥＶＡその他の弾性エラストマーなどの発泡体や、不織布その他の繊維積層集合体を使用してもよい。
【実施例２】
【００３３】
図７は図５に示すウレタンフォームの裏面に嵩上げ板を収納する袋部を設けた状態を示す斜視図であり、図８は図５に示すウレタンフォームの裏面に設けた袋部に収納される嵩上げ板の斜視図であり、図９はウレタンフォームの裏面に設けた袋部に収納される嵩上げ板の第１の使用例を示す模式図であり、図１０はウレタンフォームの裏面に設けた袋部に収納される嵩上げ板の第２の使用例を示す模式図である。
【００３４】
図７において、Ｄは実施例１により製造されたウレタンフォームであり、Ｅ１〜Ｅ２１はウレタンフォームＤの裏側において幅方向にわたって形成された複数の袋部である。本実施例においては、ウレタンフォームＤの長さを２１００ｍｍに設定し、これを２１等分した１００ｍｍ幅の袋部が形成されている。この全体を寝具カバーにより被包して寝具が完成する。図８において、ＦはウレタンフォームＤの嵩を部分的に嵩上げするための嵩上げ板であり、該嵩上げ板Ｆの先端部には小袋ｆが設けられている。Ｇは該嵩上げ板Ｆを前記袋部Ｅ１〜Ｅ２１に挿入するための圧入棒であり、該嵩上げ板Ｆの先端に設けた小袋ｆＩに圧入棒Ｇを差し込で、前記袋部Ｅ１〜Ｅ２１の開口部に該嵩上げ板Ｆの先端を差し入れ、圧入棒Ｇによりに挿袋部Ｅ１〜Ｅ２１の内部に嵩上げ板Ｆを挿入する。
【００３５】
そして、このように図７に示すウレタンフォームＤの裏側に形成された袋部Ｅ１〜Ｅ２１に、必要に応じて嵩上げ板Ｆを挿入する。その使用例を図９及び図１０に示す。
【００３６】
図９に示す使用例は、身体の脚部に相当する部分の寝具を嵩上げする状態を示す。立ち居作業をする人は、その足の疲労を除去するために身体の脚部に相当する部分の寝具を高くすることが多く、そのような必要性が生じた場合に、身体の脚部に相当する部分である４箇所の袋部Ｅ１８〜Ｅ２１に嵩上げ板Ｆを挿入することによりその必要性が満たされる。
【００３７】
図１０に示す使用例は、ウレタンフォームＤの中央部の寝具を嵩上げする状態を示す。ウレタンフォームＤの経年使用により荷重の掛かる中央部にへたりが生じ、そのへたりにより嵩が低くなった分を高くするこ必要性が生じた場合に、ウレタンフォームＤの中央部の５箇所の袋部Ｅ９〜Ｅ１３に嵩上げ板Ｆを挿入することによりその必要性が満たされる。
【００３８】
なお、本実施例においては、嵩上げ板としてウレタンフォームを使用している例を述べたが、ＰＥ、ＰＰ、ＥＶＡその他の弾性エラストマーなどの発泡体、不織布その他の繊維積層集合体、空気マットなどの弾性材の他、ウレタンフォームＤの表面の体圧分散効果に影響を与えなければ、硬質のものを採用してもよく、要するにウレタンフォームＤの嵩上げになるものであればどのような材質のものを使用してもよい。
【実施例３】
【００３９】
敷き布団等の寝具カバーの裏側に実施例２において説明した袋部を形成したものである。図において、Ｈは寝具カバーであり、その内部に実施例１により製造されたウレタンフォームＩが内包されている。この寝具カバーＨの裏面に袋部Ｊ１〜Ｊ２１が設けられている。この袋部Ｊ１〜Ｊ２１の使用方法は、実施例２で説明した袋部Ｅ１〜Ｅ２１と同様であるので、省略する。
【産業上の利用可能性】
【００４０】
本発明は、敷き布団、マットレス、枕などの寝具及びその製造の際に利用することができ、また、敷き布団、マットレス、枕などの寝具や敷き布団カバー、枕カバーなどの寝具カバーに利用できる。
【図面の簡単な説明】
【００４１】
【図１】本発明の実施例１に係る寝具に内装されるウレタンフォームの構成を決定するためのものであって、表面に面積が大の突起２個を形成した所定幅の測定用ウレタンフォームの部分斜視図である。
【図２】本発明の実施例１に係る寝具に内装されるウレタンフォームの構成を決定するためのものであって、表面に面積が中の突起３個を形成した所定幅の測定用ウレタンフォームの部分斜視図である。
【図３】本発明の実施例１に係る寝具に内装されるウレタンフォームの構成を決定するためのものであって、図３は表面に面積が小の突起４個を形成した所定幅の測定用ウレタンフォームの部分斜視図である。
【図４】本発明の実施例１に係る寝具に内装されるウレタンフォームに関し、身体背面の突出量と荷重分布とウレタンフォーム上に形成した突起の面積の大きさとの相関を表す表である。
【図５】測定用ウレタンフォームにより得られた測定結果に基づいて形成されたウレタンフォームの斜視図である。
【図６】図５に示すウレタンフォームの沈み込み状態を示す模式図ある。
【図７】本発明の実施例２に係る寝具に関し、図５に示すウレタンフォームの裏面に嵩上げ板を収納する袋部を設けた状態を示す斜視図である。
【図８】図５に示すウレタンフォームの裏面に設けた袋部に収納される嵩上げ板の斜視図である。
【図９】ウレタンフォームの裏面に設けた袋部に収納される嵩上げ板の第１の使用例を示す模式図である。
【図１０】ウレタンフォームの裏面に設けた袋部に収納される嵩上げ板の第２の使用例を示す模式図である。
【図１１】本発明の実施例３に係る寝具の斜視図である。
【符号の説明】
【００４２】
Ａ・・・表面に面積が大の突起を配した測定用ウレタンフォーム
Ａ１・・測定用ウレタンフォームＡのベース部
Ａ２・・面積が大の突起
Ｂ・・・表面に面積が中の突起を配した測定用ウレタンフォーム
Ｂ１・・測定用ウレタンフォームＢのベース部
Ｂ２・・面積が中の突起
Ｃ・・・表面に面積が小の突起を配した測定用ウレタンフォーム
Ｃ１・・測定用ウレタンフォームＣのベース部
Ｃ２・・面積が小の突起
Ｄ・・・ウレタンフォーム（弾性体）
Ｅ１〜Ｅ２１・・袋部
Ｆ・・・嵩上げ板
ｆ・・・小袋
Ｇ・・・圧入棒
Ｈ・・・寝具カバー
Ｉ・・・ウレタンフォーム
Ｊ１〜Ｊ２１・・袋部
【図１】
2005137596.tif 000003
【図２】
2005137596.tif 000004
【図３】
2005137596.tif 000005
【図４】
2005137596.tif 000006
【図５】
2005137596.tif 000007
【図６】
2005137596.tif 000008
【図７】
2005137596.tif 000009
【図８】
2005137596.tif 000010
【図９】
2005137596.tif 000011
【図１０】
2005137596.tif 000012
【図１１】
2005137596.tif 000013